(57)【要約】【課題】家庭内でも様々な種類の日本酒を同時に味わうために便利な日本酒用のボトル，およびこのボトルを含む日本酒のパッケージを提供すること。【解決手段】日本酒用のボトルは、可視光に対して透明な柱状形状の容器、およびスクリュー形式で容器に噛み合うことで容器を密閉するキャップを備える。容器の柱状形状の中心軸に垂直な面への投影面は円であり、容器の体積は、５０ｍＬ以上１５０ｍＬ以下である。ボトルの長さは、１０ｃｍ以上２５ｃｍ以下でもよく、容器の内径は１．６ｃｍ以上４．５ｃｍ以下でもよい。【選択図】図１
0003235046.tif 000002
【実用新案登録請求の範囲】
【請求項１】
可視光に対して透明な柱状形状の容器、および
スクリュー形式で前記容器に噛み合うことで前記容器を密閉するキャップを備え、
前記容器の前記柱状形状の中心軸に垂直な面への投影面は円であり、
前記容器の体積は、５０ｍＬ以上１５０ｍＬ以下である、日本酒用のボトル。
【請求項２】
前記ボトルの長さは、１０ｃｍ以上２５ｃｍ以下であり、
前記容器の内径は、１．６ｃｍ以上４．５ｃｍ以下である、請求項１に記載のボトル。
【請求項３】
ケース、および
前記ケースに収容される複数の日本酒用のボトルを備え、
前記複数の日本酒用のボトルの各々は、
可視光に対して透明である柱状形状の容器、および
スクリュー形式で前記容器に噛み合うことで前記容器を密閉するキャップを有し、
前記容器の前記柱状形状の中心軸に垂直な面への投影面は円であり、
前記容器の体積は、５０ｍＬ以上１５０ｍＬ以下である、日本酒のパッケージ。
【考案の詳細な説明】
【技術分野】
【０００１】
本考案の実施形態の一つは、日本酒用のボトル、および複数の日本酒用のボトルが収容されたパッケージに関する。
【背景技術】
【０００２】
日本酒は、多くの場合、一升瓶または４合瓶に詰められた状態で流通され、消費者に提供される。日本酒は開封すると劣化が進行することや、近年の冷酒ブームを反映し、一般家庭では日本酒を冷蔵庫内で保管することが多い。しかしながら、一升瓶は体積が大きすぎ、一般家庭の冷蔵庫で保存するには適していない。また、４合瓶は一般的な冷蔵庫に入る大きさではあるものの、通常横に倒した状態で冷蔵庫内で保存される。４合瓶は下部から上部にかけて徐々に細くなる形状を有しているため、冷蔵庫内で転がると手前（すなわち、消費者側）に向きを変え、落下する危険性がある。さらに、日本酒を嗜好するものの一度に多くの日本酒を飲めない消費者にとっては、一升瓶や４合瓶は大きすぎ、家庭内で様々な種類の日本酒を同時に味わうためには必ずしも最適な容器であるとは言えない。
【考案の概要】
【考案が解決しようとする課題】
【０００３】
本考案の実施形態の一つは、冷蔵庫などの冷暗所における保存に適した日本酒用のボトル、およびこのボトルを含む日本酒のパッケージを提供することを課題の一つとする。あるいは、本考案の実施形態の一つは、広範囲の消費者にとって様々な種類の日本酒を同時に味わうために便利な日本酒用のボトル、およびこのボトルを含む日本酒のパッケージを提供することを課題の一つとする。
【課題を解決するための手段】
【０００４】
本考案の実施形態の一つは日本酒用のボトルである。このボトルは、可視光に対して透明な柱状形状の容器、およびスクリュー形式で容器に噛み合うことで容器を密閉するキャップを備える。容器の柱状形状の中心軸に垂直な面への投影面は円であり、容器の体積は、５０ｍＬ以上１５０ｍＬ以下である。ボトルの長さは、１０ｃｍ以上２５ｃｍ以下でもよく、容器の内径は１．６ｃｍ以上４．５ｃｍ以下でもよい。
【０００５】
本考案の実施形態の一つは日本酒のパッケージである。このパッケージは、ケース、およびケースに収容される複数の日本酒用のボトルを備える。複数の日本酒用のボトルの各々は、可視光に対して透明である柱状形状の容器、およびスクリュー形式で容器に噛み合うことで容器を密閉するキャップを有する。容器の前記柱状形状の中心軸に垂直な面への投影面は円であり、容器の体積は、５０ｍＬ以上１５０ｍＬ以下である。
【図面の簡単な説明】
【０００６】
【図１】本考案の実施形態の一つに係る日本酒のパッケージの模式的斜視図。
【図２】本考案の実施形態の一つに係る日本酒用のボトルの模式的側面図、上面図、および底面図。
【図３】本考案の実施形態の一つに係る日本酒用のボトルの模式的端面図。
【図４】本考案の実施形態の一つに係る日本酒用のボトルの模式的端面図、上面図、および底面図。
【考案を実施するための形態】
【０００７】
以下、本考案の各実施形態について、図面などを参照しつつ説明する。ただし、本考案は、その要旨を逸脱しない範囲において様々な態様で実施することができ、以下に例示する実施形態の記載内容に限定して解釈されるものではない。
【０００８】
図面は、説明をより明確にするため、実際の態様に比べ、各部の幅、厚さ、形状などについて模式的に表される場合があるが、あくまで一例であって、本考案の解釈を限定するものではない。本明細書と各図において、既出の図に関して説明したものと同様の機能を備えた要素には、同一の符号を付して、重複する説明を省略することがある。
【０００９】
１．パッケージ
図１（Ａ）と図１（Ｂ）に本考案の実施形態の一つである日本酒のパッケージ１００の模式的斜視図を示す。これらの図に示すように、パッケージ１００は、ケース１０２とケース１０２内に収容される複数の日本酒用のボトル１１０を備える。
【００１０】
ケース１０２は、後述する複数のボトル１１０を互いに接触しないように収容する機能を有しており、紙、木材、プラスチック、あるいは金属などの材料を適宜組み合わせて構成することができる。ケース１０２の構造や形状に制約はなく、例えば図１（Ａ）、図１（Ｂ）に示すように、ケース１０２は、ボトル１１０を収容する空間を提供するための本体１０２ａ、および本体１０２ａの上面を覆う上蓋１０２ｂによって構成されてもよい。本体１０２ａと上蓋１０２ｂは互いに分離していてもよく、図１（Ｂ）に示すようにヒンジ形式で互いに連結されて上蓋１０２ｂが回転するように構成されていてもよい。上蓋１０２ｂは単一でもよく、あるいは観音開き方式で開閉する複数の上蓋１０２ｂを用いてもよい。あるいは、図示しないが、上蓋１０２ｂはスライド方式で開閉するように構成してもよい。この場合、上蓋１０２ｂは、本体１０２ａの上面のみを覆うスライド蓋でもよく、あるいは本体１０２ａの上面、底面、および対向する一対の側面を覆うスライド蓋でもよい。
【００１１】
任意の構成として、パッケージ１００はケース１０２内に緩衝材１０４を有してもよい。緩衝材１０４はポリスチレンやポリウレタン、ポリエチレンなどの高分子材料を含み、ケース１０２内に配置されるボトル１１０を保護する機能を有する。緩衝材１０４にはボトル１１０の形状に適合する凹部が形成され、この凹部内にボトル１１０が配置される。これにより、ボトル１１０同士の接触がより効果的に防止され、かつ、外部からケース１０２に衝撃が与えられた際、ボトル１１０に伝わる衝撃を低減することができる。
【００１２】
ケース１０２内におけるボトル１１０の配置や、ケース１０２に収容されるボトル１１０の数に制約はない。後述するように、ボトル１１０は円柱形状を有するが、互いに平行になるように複数のボトル１１０をケース１０２内に収容してもよい。あるいは、図示しないが、円柱形状の中心軸が互いに傾くように複数のボトル１１０をケース１０２内に収容してもよい。ケース１０２内に収容されるボトル１１０の数は、例えば２以上２０以下、３以上１５以下、または５以上１０以下から選択すればよい。
【００１３】
２．ボトル
本考案の実施形態の一つであるボトル１１０の模式的な側面図、上面図、および底面図を図２（Ａ）に示す。図２（Ａ）に示すように、ボトル１１０は、日本酒を収容する容器１１２、および容器１１２を密閉するためのキャップ１１４を備える。容器１１２は、ガラスで形成されていてもよく、あるいはポリエチレンやポリプロピレンなどのポリオレフィン、ポリエチレンテレフタレートなどのポリエステル、ポリカーボネートなどの高分子で形成されていてもよい。また、容器１１２は少なくとも可視光の一部を透過可能なように構成され、好ましくは無色、透明である。キャップ１１４は、適度な剛性と可撓性を備えるよう、アルミニウムなどの金属を用いて形成される。
【００１４】
容器１１２は円柱形状を有しており、容器１１２にキャップ１１４が取り付けられた状態、すなわち、ボトル１１０も円柱形状を有する。このため、容器１１２とボトル１１０の上面または底面の形状（上面または底面の輪郭）は、いずれも円となる。あるいは、この円柱形状の中心軸に垂直な面における容器１１２とボトル１１０の投影面は円となる。
【００１５】
図２（Ｂ）は容器１１２の模式的側面図、上面図、および底面図であり、図２（Ａ）における鎖線Ａ−Ａ´に沿った端面の模式図を図３（Ａ）に、図２（Ｂ）の鎖線Ｂ−Ｂ´に沿った端面の模式図を図３（Ｂ）に示す。図２（Ｂ）と図３（Ａ）から理解されるように、容器１１２の上部には、キャップ１１４がスクリュー方式で容器１１２に噛み合うことで容器を密閉するための溝１１２ａが設けられる。キャップ１１４の外径Ｄ3（図２（Ａ）参照。）は、容器１１２の外径Ｄ1と同一、または実質的に同一である。後者の場合、例えば外径Ｄ3は外径Ｄ1の±３％以内、±５％以内、または±１０％以内である。外径Ｄ1と外径Ｄ3は、２ｃｍ以上５ｃｍ以下、または３ｃｍ以上４ｃｍ以下の範囲から適宜選択すればよい。
【００１６】
容器１１２内には円柱状の空間が設けられており、その内径Ｄ2（図３参照。）は、例えば１．６ｃｍ以上４．５ｃｍ以下、または１．８ｃｍ以上３．８ｃｍ以下の範囲から適宜選択することができる。ボトル１１０の長さＬも任意に決定でき、例えば１０ｃｍ以上２５ｃｍ以下、または１５ｃｍ以上２０ｃｍ以下の範囲から適宜選択すればよい。あるいは、長さＬと内径Ｄ2は、容器１１２の体積（容器１１２の内部の空間の体積。以下同様。）が５０ｍＬから１５０ｍＬ以上、または７５ｍＬ以上１２５ｍＬとなるように調整してもよい。
【００１７】
容器１１２の内径Ｄ2、ボトル１１０の長さＬ、あるいは容器１１２の体積を上述した範囲に設定することで、比較的少量の日本酒をボトル１１０に詰めることができる。このため、お酒に比較的弱い消費者であっても、全量を飲みきることができるため、一度開封した日本酒を保存することによる品質劣化を気にすること無く、日本酒を享受することができる。また、ボトル１１０自体が比較的長細い形状となるため、例えば家庭用の冷蔵庫のドアポケットに収容することも可能である。あるいは、冷蔵庫内で横倒しにして保存する場合でも、ボトル１１０の外径は一定であるため、冷蔵庫内で回転しても手前に向きを変えることはない。このため、冷蔵庫内での回転に起因する落下の危険性が大幅に低下する。また、冷蔵庫における占有面積が低減することから、大量のボトル１１０を冷蔵庫内に保管しても、冷蔵庫内の空間を効率的に利用することができる。
【００１８】
図２（Ａ）や図２（Ｂ）に示すように、容器１１２には、内容物である日本酒の銘柄や産地、醸造所などを表す文字やマークを印刷してもよい。図示しないが、容器１１２にラベルを貼り付けてもよい。複数のボトル１１０を一つのケース１０２に収容する場合、印刷される文字やマーク、貼り付けられるラベルがボトル１１０間で異なってもよい。すなわち、複数のボトル１１０に詰められる日本酒の銘柄が互いに異なるようにパッケージ１００を構成してもよい。上述したように、容器１１２の体積は比較的小さいため、複数のボトル１１０に詰められる日本酒の銘柄が互いに異なるようにパッケージ１００を構成することで、お酒に比較的弱い消費者であっても、飲み残しを気にすることなく多くの銘柄の日本酒を享受することができる。
【００１９】
３．変形例
容器１１２の端面（中心軸に垂直な面）の形状は円に限られず、例えば図４（Ａ）に示す模式的側面図、上面図、底面図に示すように、正方形などの四角形でもよい。あるいは、図４（Ｂ）から図４（Ｄ）の上面図に示すように、容器１１２の端面は三角形や五角形、六角形などの多角形でもよい。容器１１２の端面が多角形の場合、多角形の角は面取りされて丸みを帯びていてもよい。多角形の端面を有するように容器１１２を構成することにより、冷蔵庫内での占有面積の増大を招くことはない。また、容器１１２内で横に倒して保存する場合でも回転しないため、落下の危険性を大幅に低減することができる。
【００２０】
本考案の実施形態として上述した各実施形態は、相互に矛盾しない限りにおいて、適宜組み合わせて実施することができる。また、各実施形態の表示装置を基にして、当業者が適宜構成要素の追加、削除もしくは設計変更を行ったもの、または、工程の追加、省略もしくは条件変更を行ったものも、本考案の要旨を備えている限り、本考案の範囲に含まれる。
【００２１】
上述した各実施形態の態様によりもたらされる作用効果とは異なる他の作用効果であっても、本明細書の記載から明らかなもの、または、当業者において容易に予測し得るものについては、当然に本考案によりもたらされるものと解される。
【符号の説明】
【００２２】
１００：パッケージ、１０２：ケース、１０２ａ：本体、１０２ｂ：上蓋、１０４：緩衝材、１１０：ボトル、１１２：容器、１１２ａ：溝、１１４：キャップ
【図１】
0003235046.tif 000003
【図２】
0003235046.tif 000004
【図３】
0003235046.tif 000005
【図４】
0003235046.tif 000006